(57)【特許請求の範囲】
【請求項１】
パチンコ球が貯留される皿部の底壁に球抜き孔を開設し、前記底壁の裏側に常に球抜き孔を閉じるように付勢されるシャッター板を可動自在に設けたパチンコ機における球受皿の球抜き装置において、
前記シャッター板の下方にパチンコ球を支承させる係止部を有する保持溝を設けると共に、前記シャッター板の裏面には該シャッター板が前記球抜き孔を開放した時に前記保持溝の上方に位置する係合凹部を設け、
前記皿部には該皿部の前側で外部と連なり前記保持溝の係止部に連通するパチンコ球の投入溝を設けると共に、前記投入溝を複数のパチンコ球が投入可能な長さとし且つ前記保持溝の係止部に向かって下傾させ、
パチンコ球を前記投入溝から投入すると該パチンコ球が前記シャッター板の係合凹部と前記保持溝の係止部との間で挟着され、前記シャッター板は前記球抜き孔が開放する位置に停止保持されるようにしたことを特徴とするパチンコ機における球受皿の球抜き装置。
【請求項２】
前記投入溝を上面で開口するようにした請求項１記載のパチンコ機における球受皿の球抜き装置。
【発明の詳細な説明】
【０００１】
【発明の属する技術分野】
本発明は、遊技中のパチンコ球を利用してシャッター板を球抜き孔が開放される位置に停止保持できるようにしたパチンコ機における球受皿の球抜き装置に関するものである。
【０００２】
【従来の技術】
従来、この種の球受皿の球抜き装置であって、遊技中のパチンコ球を利用して球抜き孔を開放する位置で、シャッター板を停止保持させるようにしたものが、例えば特開平２−１５４７７６号公報に記載の如く知られている。この公報に記載のものは、下皿の前方下縁に水平方向に沿って案内縁を形成すると共に、下皿に開設された排出口を閉止する方向にスプリングにより付勢された摺動蓋と、該摺動蓋を摺動可能に支持する蓋枠部材と、摺動蓋を操作する摺動レバーとからなるスライド蓋機構を設け、摺動レバーと摺動蓋との間に下皿の案内縁に嵌入する受溝を形成し、また案内縁にはパチンコ球が嵌入可能な凹陥部を設け、摺動蓋を摺動させて排出口を開放したときに凹陥部にパチンコ球を嵌入させ、このパチンコ球に摺動蓋の摺動レバーの前端面を当接させることにより摺動蓋を停止保持するようにしており、しかもこの球を摺動レバーに埋設した磁石に吸着させてその位置を安定させている。
【０００３】
【発明が解決しようとする課題】
しかしながら、上記公報に記載のものは、球を嵌入させる凹陥部が下皿の案内縁に外部に露出させて設けられており、しかも小さいため、指先でパチンコ球を凹陥部へ嵌入し難いものとなっていた。
【０００４】
さらに、一方の手で摺動レバーを引いた状態で他方の手でパチンコ球を扱うなど両手を使わねばならないので、操作ハンドルを操作することができず、遊技中に、すなわち操作ハンドルを持ったままで前記摺動蓋を開放した位置に停止保持することは困難であり、不都合を生ずる。
【０００５】
本発明は、従来の技術の有する課題を解決し、外部のパチンコ球によりロックし易いパチンコ機における球受皿の球抜き装置を提供しようとするものである。
【０００６】
【課題を解決するための手段】
上記目的を達成するために、請求項１記載の発明は、パチンコ球が貯留される皿部の底壁に球抜き孔を開設し、該底壁の裏側に常に球抜き孔を閉じるように付勢されるシャッター板を可動自在に設け、該シャッター板を外部からのパチンコ球に係止することにより球抜き孔を開放位置に停止保持するようにしたパチンコ機における球受皿の球抜き装置において、外部からのパチンコ球を前記シャッター板がパチンコ球に係止する係止部に導く投入溝を設けたことを特徴とする。
【０００７】
また、請求項２記載の発明は、請求項１記載の発明において、前記投入溝を複数のパチンコ球が投入可能な長さとした
【０００８】
また、請求項３記載の発明は、請求項１または２記載の発明において、前記投入溝を上面で開口するようにしたことを特徴とする。
【０００９】
また、本発明のパチンコ機における球受皿の球抜き装置は、パチンコ機の前面枠の前面に設けられる打球供給用の打球供給皿または該打球供給皿の余剰球を貯留する下部球受皿のいずれにも適用可能であるのは勿論のこと、下部球受皿の下方に位置する球箱の球抜き装置にも適用可能である。
【００１０】
【発明の実施の形態】
以下に本発明に係る下部球受皿の球抜き装置を図面と共に説明する。図１はパチンコ機の正面図であり、図において１は機枠、２は機枠１の前面に開閉自在に装着される前面枠で、その前面にはガラス枠３とその下方に前板４が開閉自在に装着される。前記ガラス枠３の後方には遊技盤５が配置され、該遊技盤５の表面にガイドレール６が敷設されている。また、前記前板４の前面には打球供給皿７が取り付けられており、前面枠２の下部には操作ハンドル８と前記打球供給皿７の余剰球を貯留する下部球受皿９が取り付けられている。
【００１１】
図２は下部球受皿９の斜視図、図３は球抜き装置を分解して示す斜視図、図４は下部球受皿の平面図をそれぞれ示す。下部球受皿９は取付基板１０の前面に皿部１１が装着されており、該皿部１１に取付基板１０に開設される余剰球排出用の排出口１２と連なる球貯留部１３が設けられている。また、該球貯留部１３の底壁１４に図４に示すよう円形の球抜き孔１５が開設されている。
【００１２】
１６は底壁１４の裏側にビスＰを介して取付けられ、上面が開放され且つ平面長方形をなす箱枠状の支持枠であり、一側に球抜き孔１５に連通する円形の通孔１７が開設されている。
【００１３】
１８は皿部１１の底壁１４と支持枠１６との間で水平方向へ摺動自在に介装され、球抜き孔１５を開閉させるシャッター板であり、該シャッター板１８は支持枠１６に装填させたコイルスプリング１９の付勢で常に球抜き孔１５を閉塞させるようにしてあり、前側に支持枠１６から突出する操作レバー２０が設けられている。
【００１４】
前記支持枠１６には前記シャッター板１８の摺動方向に沿ってパチンコ球が一個通過し得る程度の幅を有する保持溝２１が設けられている。この保持溝２１は、その一側端部の底壁２１ａに図６（ａ）に示すようパチンコ球をころがらない程度に支承させる係止部としての浅窪部２３が設けられている。さらに、この保持溝２１の底壁２１ａは他側端に向い若干下傾しており、その下側端に落下孔２４が開設されている。
【００１５】
シャッター板１８の裏面には係合凹部２５が設けられ、該係合凹部２５は、該シャッター板１８が球抜き孔１５を開放した時、支持枠１６に設けた保持溝２１の浅窪部２３の真上に位置する。そして、係合凹部２５と底壁２１ａの浅窪部２３との間は、その間にパチンコ球が嵌入して、該パチンコ球によりシャッター板１８が上方へ押圧され停止保持されるように距離が設定されている。なお、前記係合凹部２５の一側縁はシャッター板１８がスムースに摺動できるようにテーパー面に形成されて、パチンコ球Ｂを係合凹部２５に係合しやすいようになっている。
【００１６】
しかして、前記支持枠１６の前側で外部と連なり通孔１７とは反対側の一側端に、前記保持溝２１の浅窪部２３に自然に転がり込むように内側に向って下傾する投入溝２２が連接されている。該投入溝２２は、該シャッター板１８が球抜き孔１５を閉塞した状態で予めパチンコ球がほぼ２個投入可能な長さを有している。なお、投入溝２２は、本実施の形態において、常に保持溝２１の浅窪部２３と連通するようにしたが、シャッター板１８が球抜き孔１５を開放した時に連通するようにしてもよい。また、投入溝２２をシャッター板１８に設けるようにしてもよい。
【００１７】
このように構成した本発明の球抜き装置では、シャッター板１８が球抜き孔１５を閉塞している時、支持枠１６に設けた保持溝２１内に、図５，図６（ａ）に示すように下部球受皿前側の投入溝２２からパチンコ球Ｂを１個投入する。そして、投入溝２２の傾斜により自然に保持溝２１内に転がり込み浅窪部２３で支承する。そして、操作レバー２０を操作してシャッター板１８を球抜き孔１５を開放するまで摺動させる。すると、図６（ｂ）に示すようシャッター板１８の裏面に設けた係合凹部２４が前記パチンコ球Ｂの上面に係合する。この状態では、パチンコ球Ｂは係合凹部２５と浅窪部２３との間できつく挟着され、同時にそのパチンコ球によりシャッター板１８が皿部１１の底壁１４の裏面側へ押されて停止保持され、操作レバー２０から手を離しても球抜き孔１５の開放状態を維持する。
【００１８】
このように球抜き孔１５を開放し続けているシャッター板１８を球抜き孔１５を閉塞する元の位置に戻すには、図６（ｃ）の矢視方向へ操作レバー２０を動かすと、係合凹部２５に係合されているパチンコ球Ｂが、該係合凹部２５の移動に伴ない図６（ｃ）の実線から鎖線位置へ移動し、ついで傾斜面に形成されている底壁２１ａ上面を転動し、落下孔２４から下方へ落下する。そして、パチンコ球Ｂによるロック状態から開放されたシャッター板１８はコイルスプリング１９の付勢によって、図６（ａ），図７の実線に示す位置に復帰して球抜き孔１５を閉塞する。
【００１９】
図８及び図９に示すものは、投入溝の他の実施の形態を示し、支持枠１６の前側で開口する投入溝２２ａの先端を上方へ屈曲させて側面Ｌ形状の筒体に形成している。この実施の形態のものは投入溝２２ａの上面で開口する投入口２６にパチンコ球Ｂを投入することでその投入が容易になり、不用意にパチンコ球をホール床面に転落させたりすることがなくなる。しかも、複数のパチンコ球Ｂを投入しておくことにより、その後は操作レバー２０の作動のみで球抜き孔１５の開放状態が連続して行える。なお、投入溝２２ａの投入口２６は皿部１１の上面に開設するようにしてもよい。また、投入溝２２ａは別体に形成し、着脱自在としてもよい。
【００２０】
図１０に示したものは係合凹部２５をシャッター板１８ａに設けた弾性片２７の裏面に一体に形成し、弾発性を保有させるようにした実施の形態を示している。この実施の形態のものは係合凹部２５が弾発することで図１１に示すようにパチンコ球Ｂの上面に係合させる際の動作がスムースに行なえて、しかも係合状態は弾発によって確実にかつ強固に持続される。
【００２１】
【発明の効果】
以上に述べたように本発明のパチンコ機における下部球受皿の球抜き装置は、外部からパチンコ球を保持溝内へ送り込むための投入溝を設けるようにしたので、パチンコ球を保持溝内に投入してしまえば落ちる心配はなく、しかも後は片手で操作レバーを操作するワンタッチ動作でシャッター板を開成状態に停止保持できる。
【図面の簡単な説明】
【図１】パチンコ機の正面図。
【図２】下部球受皿の斜視図。
【図３】下部球受皿から球抜き装置を分解して示す斜視図。
【図４】下部球受皿の平面図。
【図５】図４のＸ−Ｘ線断面図。
【図６】作用を説明する要部の断面図。
【図７】図６（ｂ）におけるＹ−Ｙ線矢視図。
【図８】他の実施の形態を示す下部球受皿の斜視図。
【図９】同上要部の断面図。
【図１０】他の実施の形態を示すシャッター板の斜視図。
【図１１】同上要部の断面図。
【符号の説明】
７                打球供給皿（球受皿）
９                下部球受皿（球受皿）
１１              皿部
１４              底壁
１５              球抜き孔
１６              支持枠
１８，１８ａ      シャッター板
２１              保持溝
２１ａ            底壁
２２，２２ａ      投入溝
２３              浅窪部（係止部）
２５              係合凹部（係止部）
２６              投入口
【図１】
0003688565.tif 000002
【図２】
0003688565.tif 000003
【図３】
0003688565.tif 000004
【図４】
0003688565.tif 000005
【図５】
0003688565.tif 000006
【図６】
0003688565.tif 000007
【図７】
0003688565.tif 000008
【図８】
0003688565.tif 000009
【図９】
0003688565.tif 000010
【図１０】
0003688565.tif 000011
【図１１】
0003688565.tif 000012